(57)【特許請求の範囲】
【請求項１】
装填された記憶媒体に記憶された画像データに基づき写真プリントを生成する印刷装置を内蔵する写真自動販売機において、
前記記憶媒体に記憶された画像データを読み取る読取手段と、
読み取った画像のサムネイル画像を表示する表示手段と、
前記記憶媒体に書き込まれておりどの画面を何枚印刷するか指定するプリント注文指定情報を読み取る読取手段と、
前記記憶媒体内にプリント注文指定情報が有るか否かを識別する識別手段と、
前記プリント注文指定情報が有った場合、前記プリント注文指定情報に従って印刷するか、前記プリント注文指定情報を用いず新たに指定された選択指定により印刷するか選択指定する第１の選択指定手段と、
プリント注文指定情報が無かった場合、印刷枚数指定手段により指定された枚数に応じて全画面データを印刷するか、新たにサムネイル表示を見ながら選択及び枚数設定し、その指定に従って印刷するか選択指定する第２の選択指定手段と、
前記プリント注文指定識別手段及び前記第１，第２の選択指定手段に従って、前記記憶媒体に格納されている画像データの中から印刷すべき画像データを前記印刷装置に出力し、前記印刷装置に印刷処理させる印刷制御手段とを備えることを特徴とする写真印刷自動販売機。
【発明の詳細な説明】
【０００１】
【発明の属する技術分野】
本発明は、デジタルカメラなどで撮影した画像データを記録する記憶媒体が装填され、装填された記憶媒体に記憶される画像データを読み出して対応する写真プリントを印刷する印刷装置に関し、特に課金装置を備えて印刷処理に対する料金を無人で徴収できるようにした写真印刷自動販売機に関する。
【０００２】
【従来の技術】
このような写真印刷自動販売機には、装填された記憶媒体から読み出された画像データを各画面毎にいわゆるサムネイル画像にして表示する表示手段と、この表示を見ながら、各画面の印刷する枚数を指定する操作パネルとが装備され、自動販売機の利用者が、自動販売機の前で印刷する画面及び印刷枚数を指定入力する必要があった。
【０００３】
【発明が解決しようとする課題】
しかしながら、自動販売機の前で利用者がいちいち、印刷する画面を選択し枚数指定入力していると、指定操作をする時間だけで長時間を有し、多くの利用者が販売機に並んでいた場合、他の客に迷惑になる。また、あわてて入力すると、画面の指定や枚数を間違えて入力するなどのおそれもある。
【０００４】
【課題を解決するための手段】
請求項１記載の発明は、装填された記憶媒体に記憶された画像データに基づき写真プリントを生成する印刷装置を内蔵する写真自動販売機において、前記記憶媒体に記憶された画像データを読み取る読取手段と、読み取った画像のサムネイル画像を表示する表示手段と、前記記憶媒体に書き込まれておりどの画面を何枚印刷するか指定するプリント注文指定情報を読み取る読取手段と、前記記憶媒体内にプリント注文指定情報が有るか否かを識別する識別手段と、前記プリント注文指定情報が有った場合、前記プリント注文指定情報に従って印刷するか、前記プリント注文指定情報を用いず新たに指定された選択指定により印刷するか選択指定する第１の選択指定手段と、プリント注文指定情報が無かった場合、印刷枚数指定手段により指定された枚数に応じて全画面データを印刷するか、新たにサムネイル表示を見ながら選択及び枚数設定し、その指定に従って印刷するか選択指定する第２の選択指定手段と、前記プリント注文指定識別手段及び前記第１，第２の選択指定手段に従って、前記記憶媒体に格納されている画像データの中から印刷すべき画像データを前記印刷装置に出力し、前記印刷装置に印刷処理させる印刷制御手段とを備えることによって達成できる。このように構成することにより、記憶媒体を自動販売機に装填するだけで、何の選択指定操作もなく、所望の画面のプリントを所望の枚数だけ印刷して受け取ることができる。
【００１０】
【発明の実施の形態】
以下、本発明の実施の形態を図面を参照しながら説明する。
本実施形態は、本発明の印刷装置を自動写真販売機に適用した例である。尚、自動写真販売機は、例えば、街角やオフィースビル等の建物内等に配設される。
【００１１】
図１は、本実施形態の自動写真販売機の外観構成を示す図である。同図に示すように、自動写真販売機１には、装置正面に表示／操作部（ディスプレイ＆タッチパネル）２、キー入力部３、記録メディア挿入口４、ＬＥＤ５、料金表示部６、コイン投入口７、紙幣口８、返却レバー９、釣り銭口１０、及びプリント取り出し口１１が設けられている。また、自動写真販売機１の左右の側面には、不図示の補助表示部が設けられている。
【００１２】
図２に示すように、表示／操作部（ディスプレイ＆タッチパネル）２は、液晶ディスプレイの表示部と、液晶ディスプレイに表示されるキーや、ボタン、アイコン等を例えば指で操作する操作部で構成されている。表示／操作部（ディスプレイ＆タッチパネル）２には、例えばデジタルカメラ等で撮影した画像情報がサムネイル表示され、有料モード又は無料モードの選択アイコン等も表示される。また、表示／操作部（ディスプレイ＆タッチパネル）２の上記表示に従って、例えばユーザはサムネイル表示された画像情報を選択し個別に印刷枚数の指定操作等を行う。尚、これらの入力操作についてはキー入力部３によっても同様に行うことができる。
【００１３】
また、自動写真販売機１の左右の側面に設けられた不図示の補助表示部は、液晶ディスプレイで構成され、ここには、表示／操作部（ディスプレイ＆タッチパネル）２の液晶ディスプレイに表示される内容と同一のものが表示されるか、又は宣伝広告等が表示される。すなわち、補助表示部には通常、自動写真販売機１の利用を待つ人や周辺の人に対し販売促進のための宣伝広告等を表示し、又は複数のユーザが自動写真販売機１を一緒に利用する場合には、操作／表示部（ディスプレイ＆タッチパネル）２の液晶ディスプレイに表示された内容と同一のものを表示して実際に操作しているユーザ以外の者に対しても同一内容のものを表示できるように配慮している。尚、表示内容の切り替えは、ユーザによる表示／操作部（ディスプレイ＆タッチパネル）２及びキー入力部３の操作により行うことができる。
【００１４】
記録メディア挿入口４ａ〜４ｅは、複数種の記録メディア（情報記憶媒体）の挿入口であり、コンパクトフラッシュメモリカード（ＣｏｍｐａｃｔＦｌａｓｈ；米国ＳａｎＤｉｓｋ社提唱規格）の挿入口４ａ、スマートメディアカードの挿入口４ｂ、メモリースティック（ＭＥＭＯＲＹ  ＳＴＩＣＫ；ソニー株式会社提唱規格）の挿入口４ｃ、ＰＣカードの挿入口４ｄ、フロッピーディスクの挿入口４ｅである。上記記録メディア挿入口４には、各種メディアに対応できるよう各種記録メディアに対応するデータ読み出し装置が内蔵されている。また、静電気による各記録メディアの破損や装置本体の破損を考慮して静電気除去用の除電ブラシも設けられている。
【００１５】
尚、各記録メディア挿入口４は下向きに設けられている。これは、各記録メディアが挿入されたときに、記録メディアの先端が記録メディア挿入口４に比べて所定量高くなる位置に配置されるためである。従って、各記録メディアに接続される、各記録メディア挿入口４内部のコネクター部も下向きに配置される。このような構成は、コネクター接点部へのほこり等の付着を防止し、電気的接続を確実にするための構成である。また、その他にもコネクター部近傍にファンを設けてほこり等の付着を防止するようにしても良い。このような防塵対策により、戸外のようなほこりの多い環境においても装置の信頼性を確保できる。
【００１６】
また、上記記録メディアには例えばデジタルカメラで等で撮影したデジタル画像情報が複数の単位画面情報として書き込まれている。尚、これらの記録メディアに書き込まれたデジタル画像の情報は、スキャナー等から読み出したイメージデータをデジタル画像データに変換したデータであってもよい。
【００１７】
ＬＥＤ５ａ〜５ｅは、各記録メディア挿入口４ａ〜４ｅに対応して設けられたもので、各記録メディア挿入口４に対応する記録メディアが挿入可能な状態にあるときに、それに対応するＬＥＤ５が点滅表示するものである。例えば、メディアの挿入可能な状態にあるときには、ＬＥＤ５ａ〜ｅが点滅して操作を案内し、これによりユーザがメモリスティックを挿入口４ｃに挿入するとメディアが認識され、ＬＥＤ５ｃだけが点灯状態に制御される。尚、ＬＥＤ５ａ〜ｅは、操作ボタンも兼ねており、装填されたメディアの読出し／印刷処理中、処理を中断してメディアを抜きたい場合には、ＬＥＤが点灯しているボタンを押すことにより、処理を中止させることが出来る。
【００１８】
また、コイン投入口７、紙幣口８、及び釣り銭口１０は自動写真販売機１を有料で使用する場合に使用する構成であり、紙幣口８から紙幣を挿入し、コイン投入口７から硬貨を投入する。このとき、入金された金額は料金表示部６に表示される。また、釣り銭口１０には釣り銭の返却やユーザが途中で利用を中止したときに料金が返却される。
【００１９】
また、プリント取り出し口１１は印刷出力を取り出すボックスであり、印刷されたプリント用紙（写真）はこのプリント取り出し口１１に集められる。
図３は、上記外観構成の自動写真販売機１の内部構造を説明する図である。同図に示すように、自動写真販売機１はフロントユニット２０、ペーパーダクト２１、及びリアユニット２２から構成されている。フロントユニット２０は、自動写真販売機１の全体的な制御を行うメインコントローラや前述の操作／表示部（タッチパネル＆液晶ディスプレイ）２等により構成される。ペーパーダクト２１は印刷された用紙をプリント取り出し口１１へ導くための構成である。また、リアユニット２２は複数の着脱自在なプリンタユニット２３、及び不図示の電源ユニット等を備える。各プリンタユニット２３はスライドレール２４上をスライドしてリアユニット２２の所定の位置へ装着される。従って、各プリンタユニット２３において、プリント用紙等の消耗品が無くなったときには、プリンタユニット２３ごと取り外して容易に交換できるので、例えば、消耗品を補充したプリンタユニット２３を予め準備しておけば、短時間で交換が可能になる。
【００２０】
また、各プリンタユニット２３は、それぞれ後部にコネクター部を備え、装着と同時にこのコネクター部がリアユニット２２に設けられるコネクター部と連結される。また、リアユニット２２のコネクター部は、自動写真販売機１を組み立てた状態では、フロントユニット２０とも電気的に接続される。従って、各プリンタユニット２３はこのコネクター部を介して、電源ユニットからの電源電圧の供給やフロントユニットとの各種信号の送受が行われる。
【００２１】
図４は上記自動写真販売機内部のシステム構成を説明する図である。本システムは、メインコントローラ３０を中心に周辺回路、及びプリンタユニット２３で構成されている。
メインコントローラ３０は内部にＣＰＵ（中央処理装置）を有し、プログラムに従って本形態の自動写真販売機１の駆動制御を行い、例えば、所定の条件に基づき、プリント用紙１枚分の印刷情報をプリンタユニット２３のいづれかへ分配制御する。
【００２２】
また、メインコントローラ３０には記憶部３１が設けられ、この記憶部３１は前述のメインコントローラ３０が行う制御プログラムを記憶する。また、その他、ユーザ情報、印刷条件情報、及びプリンタユニット２３の情報等が記憶され、必要に応じて後述するセンターへ転送される。また、記憶部３１にはセンターから送られる広告情報等も記憶され、この広告情報は所定の時間間隔で更新される。
【００２３】
また、メインコントローラ３０には、ディスプレイ制御部３２、タッチパネル制御部３３、キー入力部３４、カードインターフェイス（以下、カードＩ／Ｆで示す）３５、料金管理部３６、レシートインターフェイス（以下、レシートＩ／Ｆで示す）３７、送受信部３８、及びプリンタユニット２３が接続されている。
【００２４】
ディスプレイ制御部３２は前述の表示／操作部（ディスプレイ＆タッチパネル）２及び補助ディスプレイ部に表示する表示情報の出力制御を行い、メインコントローラ３０から出力される表示情報を表示／操作部（ディスプレイ＆タッチパネル）２及び補助ディスプレイ部に表示制御する。
【００２５】
また、タッチパネル制御部３３はユーザによるタッチパネルの操作に従った操作信号をメインコントローラ３０に出力制御する。
また、キー入力制御部３４はユーザによるキー入力部３の操作に従った操作信号をメインコントローラ３０に出力制御する。
【００２６】
また、カードＩ／Ｆ３５は、前述の各記録メディア挿入口４に挿入される各記録メディアからデジタル画像情報を読み出し、メインコントローラ３０へ出力制御するインターフェイスである。
また、料金管理部３６は前述のコイン投入口７及び紙幣口８から入金された金額を計算し、これを金額表示部６に表示し、指定された印刷枚数に対応する料金であることを確認する。また、釣り銭の管理等も行う。
【００２７】
また、送受信部３８はＰＨＳ回線を用いて基地局３９ａと情報の授受を行い、基地局３９ａは公衆回線網３９ｂ等を用いてセンター３９ｃと接続されている。センター３９ｃは、例えば各種企業と契約を結び、多くの広告情報を記憶部３９ｄに記憶する。また、記憶部３９ｄは、その他、各自動写真販売機１から送られるユーザ情報、印刷条件情報、及びプリンタユニット２３の情報等を記憶する。すなわち、サーバ３９ｅは、必要に応じて、記憶部３９ｄに記憶された広告情報やユーザ情報等を公衆回線網３９ｂに送信し、また公衆回線網３９ｂを介して供給されるユーザ情報やプリンタユニット２３の情報等を受信する。
【００２８】
一方、自動写真販売機１は、８台のプリンタユニット２３−１〜２３−８を備え、各プリンタユニット２３−１〜２３−８は同じ構成である。
尚、図５は上記プリンタユニット２３の構成を説明する図である。各プリンタユニット２３は、サーマルヘッド５０、大容量リボン５１、巻き取りロール５２、ロール状のプリント用紙５３、及び複数の送りロールで構成されている。プリント用紙５３は送りロール５４によってサーマルヘッド５０に送られ、カッター５５によって所定長のプリント用紙に切断される。尚、ロール状に形成されたプリント用紙５３としては、最大１０２ｍｍ幅の記録用紙を使用することができ、例えば５００枚分の印刷が可能なロール長を有する。
【００２９】
また、大容量リボン５３にはイエロー（Ｙ）、マゼンダ（Ｍ）、シアン（Ｃ）、及び表面コーティング剤の印刷用リボンが、順次１画面長ずつ繰り返し繋がって配設され、例えば５００画面印刷分の印刷用リボンとして巻装されている。
また、送りロール５６、５７は大容量リボン５１とプリント用紙５３を重ね合わせ、サーマルヘッド５０に送るためのロールであり、サーマルヘッド５０による印字処理が完了したインクリボンは巻き取りロール５２によって巻き取られる。
【００３０】
ここで、サーマルヘッド５０は解像度３２２ＤＰＩ（ドット／インチ）であり、主走査方向に１３４４ドット（約１０６ｍｍ幅）の発熱素子を配設する。サーマルヘッド５０には画像データが供給され、この画像データは、前述のメインコントローラ３０から各プリンタユニット２３−１〜２３−８へ転送されるプリント用紙１枚分の印刷情報に基づいて作成されたものである。
【００３１】
また、前述の図４に示すＡは、プリンタユニット２３内部のシステム構成を示す図である。各プリンタユニット２３−１〜２３−８は、コントロール部４０、インターフェイス（以下、Ｉ／Ｆで示す）４１、印刷データ記憶部４２、印刷機構部４３で構成されている。
【００３２】
コントロール部４０は、メインコントローラ３０からＩ／Ｆ４１を介して供給されるプリント用紙１枚分の印刷情報の供給を受け、一旦これを印刷データ記憶部４２に記憶する。また、広告画像データもメインコントローラ３０からＩ／Ｆ４１を介して受け取り、印刷データ記憶部４２内で合成展開される。コントロール部４０は、メインコントロール部３０から、印刷濃度、色調、合成画像の配置などの指定情報が送られてくると、これに対応した画像データに修正又は補正する処理を印刷データ記憶部４２を用いて加工処理する。印刷機構部４３は、前述の図４に示す構成の印刷機構であり、サーマルヘッド５０、大容量リボン５１、プリント用紙５３等である。
【００３３】
コントロール部４０は印刷データ記憶部４２からプリント用紙１枚分の印刷情報を読み出し、これに基づき画像データを作成し、これをサーマルヘッド５０へ出力する。従って、コントロール４０は画像データ生成部でもある。サーマルヘッド５０は、供給される画像データに従い発熱素子を駆動し、リボン上のイエロー（Ｙ）、マゼンダ（Ｍ）、シアン（Ｃ）のインクを用紙に転写し、昇華させることによって用紙に画像を形成する。
【００３４】
このように、本形態の自動写真販売機１は、各プリンタユニット２３毎に、プリント用紙１枚分の印刷情報に基づき画像データを生成するコントロール部４０と画像データに基づき印刷を行う印刷機構部４３を備える構成である。
以上の構成の自動写真販売機１において、以下に本例の処理動作を説明する。
【００３５】
図６は本例の処理動作を説明するフローチャートである。先ず、本例の自動写真販売機１が設置された場所にユーザが赴き、自動写真販売機１の操作を開始する。初期時、液晶ディスプレイの表示部には図７（ａ）又は（ｂ）に示す表示が交互に行われている（ステップ（以下Ｓで示す）１００）。すなわち、図７（ａ）に示す「高速！  写真プリント、メモリカード又はフロッピーディスクを指定の挿入口へ入れて下さい。」の表示と、図７（ｂ）に示す「高速！  写真プリント、即プリントできます。」の表示が所定時間間隔で繰り返される。
【００３６】
また、両表示には「英語モード」と「日本語モード」を切り替えるファンクションスイッチ（以下、ファンクションＳＷで示す）、及び「使い方」を説明するファンクションＳＷが表示されている。ここで、この「英語モード」のファンクションＳＷを指示すると、英語表示に切り替わる。また、「使い方」のファンクションＳＷを指示すると、本例の自動写真販売機１の操作方法の説明画面が表れる。
【００３７】
上記表示状態において、ユーザは持参したメディアを対応する挿入口４ａ〜４ｅに挿入する（Ｓ１０１）。例えば、デジタルカメラで撮影したデジタル画像が記憶されるコンパクトフラッシュメモリカードの場合、前述のメディア挿入口４ａに装着する。また、スマートメディアの場合、前述のメディア挿入口４ｂに装着する。一方、複数のメディアを挿入した場合には最初に挿入したメディアを自動認識し、対応するＬＥＤ５ａ、５ｂ等を点灯する。
【００３８】
また、挿入されたメディア対応の読み出し装置のみを有効にする（Ｓ１０２）。そして、データの検出処理を行う（Ｓ１０３）。
次に、挿入されたメディアから読み出したデータが有効データであるか判断し（Ｓ１０４）、有効であればＤＰＯＦ（Ｄｉｇｉｔａｌ  Ｐｒｉｎｔ  Ｏｒｄｅｒ  Ｆｏｒｍａｔ）の指定があるか判断する（Ｓ１０５）。
【００３９】
ここで、ＤＰＯＦはデジタルカメラで撮影した画像を、プリントオーダーする際の指定情報をデジタルカメラ側でメディア内に指定できる機能である。このため、ＤＰＯＦの指定がない場合（Ｓ１０５がＮＯ）、図８（ａ）に示す表示を行う（Ｓ１０７）。例えば、「メモリカードには２４枚の画像があります」との表示を行う。一方、ＤＰＯＦの指定がある場合（Ｓ１０５がＹＥＳ）、図８（ｂ）に示す表示を行う（Ｓ１０８）。この場合、メディア内のＤＰＯＦ情報を識別するだけで、どの画面を何枚印刷すればよいのか、認識できるので、例えば「メモリカードには２４枚のプリントが指定されています」との表示となる。
【００４０】
ここで、ＤＰＯＦの指定がない場合、図８（ａ）に示す全部、又は選択の何れかを指定し（Ｓ１０９）、全部を指定する場合には枚数指定を行う（Ｓ１１２）。また、選択を指定する場合にサムネイルを表示する（Ｓ１１１）。図９（ａ）、（ｂ）は上記サムネイル表示の際の操作を説明する図である。
【００４１】
先ず、同図（ａ）は画像選択画面であり、例えば２４枚中の１枚目のサムネイル画像を表示し、プリント枚数を指定する（Ｓ１１４、Ｓ１１６）。この場合、「枚数」のファンクションＳＷを指定すると、同図（ｂ）に示す画面に移行し、「ふやす」又は「へらす」のファンクションＳＷを指定することによって、プリント枚数の指定を行う。
【００４２】
例えば、１枚目の撮影画像を２枚プリントする場合には、「ふやす」のファンクションＳＷを２回指定し、３枚プリントする場合には、「ふやす」のファンクションＳＷを３回指定する。次に、「もどす」のファンクションＳＷを指定することによって、同図（ａ）の画面に戻る。
【００４３】
次に、「おくる」のファンクションＳＷを指定して次のサムネイル画像を表示する。尚、１枚目の撮影画像のみのプリント指定であれば、「おわる」のファンクションＳＷを指定して画像選択を終わる（Ｓ１１８がＹＥＳ）。但し、通常は２枚目以降の撮影画像も指定し、同図（ａ）と（ｂ）の画面を交互に表示しながら選択画面のプリント枚数の指定を行う。
【００４４】
一方、ＤＰＯＦの指定がある場合、図８（ｂ）に示す全部、又は選択の何れかを指定し（Ｓ１０８）、この場合、全部を指定すると直ぐに次の入金処理に移行する。また、予めＤＰＯＦで指定した情報を変更する必要がありプリント画像を選択する場合には、上記と同様サムネイル表示を行い（Ｓ１１０）、図９（ａ）、（ｂ）に示す表示を交互に行いながら、各撮影画像の選択、及びプリント枚数の指定を行う（Ｓ１１３、Ｓ１１５）。そして、最後に選択操作の終了を判断する（Ｓ１１７）。
【００４５】
以上のようにして、プリント画像の選択及び枚数指定が終了すると、図１０に示す表示が行われる。尚、同図に示す表示は、２４枚全ての撮影画像をプリント指示した場合の表示である。この場合、プリント１枚の料金が３０円とすると、
３０×２４＝７２０円
の代金投入の表示が行われる（Ｓ１１９）。
【００４６】
次に、ユーザは表示を見て必要な料金を入力する（Ｓ１２０がＹＥＳ）。この料金の入力は、前述のコイン投入口７から硬貨を投入し、又紙幣口８から紙幣を挿入して行う。そして、入金合計が”Ｈ”を越えたか判断する（Ｓ１２１）。ここで、”Ｈ”は上記の場合７２０円であり、７２０円以上入金された場合、「プリントを開始します（２４枚）」等の表示が行われる（Ｓ１２５）。
【００４７】
また、上記入金処理の際、一定時間待っても入金がない場合（Ｓ１２０、Ｓ１２２）、時間切れとし（Ｓ１２２がＹＥＳ）、「メディアを抜いて下さい」という表示を行う（Ｓ１２３）。その後、メディアが抜かれたことを確認して処理を終了する。又、メディアの抜き忘れを防止するために、所定時間経過してもメディアが抜き取られない場合には、音声などのアラームを発生させても良い。
【００４８】
一方、上記図１１（ａ）の表示に従って、「はい」のファンクションＳＷを指定して印刷処理を開始すると（Ｓ１２６がＹＥＳ）、自動写真販売機１は印刷処理を行う（Ｓ１２７）。また、この印刷処理の間、残りの印刷枚数を表示する（Ｓ１２９）。図１１（ｂ）はこの、表示例を示す。
【００４９】
また、一旦プリント枚数の設定等の処理を行った後、何らかの理由によって印刷処理を行わない場合には、図１１（ａ）の表示状態から「いいえ」のファンクションＳＷを指定して印刷処理を中止する（Ｓ１２８）。この場合、代金の返却処理を行う（Ｓ１３０）。
【００５０】
一方、上記印刷処理中、用紙等が欠乏すると印刷処理を中断する。この場合、印刷中断有りの判断が行われ（Ｓ１３１）、印刷中断理由によって印刷がそのまま継続可能であるか否か判断する（Ｓ１３２）。例えば、用紙が欠乏した場合、通常印刷の継続は不可能であるので、印刷処理を中止する（Ｓ１３１がＹＥＳ）。この場合、新規メディアの受付を中止し（Ｓ１３４）、有効印刷分を除く相当金額分を払い戻す（Ｓ１３５）。この場合、図１２（ａ）に示す表示を行う。
【００５１】
一方、上記印刷中断がない場合、例えば何らの問題もなくプリント処理が終了した場合、又はトナー不足等のように少しの期間印刷処理を継続することができるトラブルの場合、印刷処理の終了指示が行われることがなく（Ｓ１３３がＮＯ）、図１２（ｂ）の表示を行って処理を終了する（Ｓ１３６）。
【００５２】
以上のように処理することによって、複数種類のメディアが装着可能であり、簡単な操作で撮影画像等を印刷処理できる印刷装置を提供することができる。
また、本例の自動写真販売機１は各メディアの挿入口が異なる箇所に設けられ、誤装着を防止することができる。
【００５３】
一方、本例の自動写真販売機１には停電発生時のリカバリーシステムも設定されている。図１３は本例の停電処理を説明するフローチャートである。
先ず、停電を認識する（ステップ（以下ＳＴで示す）１）。そして、現在処理情報を不揮発性記憶手段に待避させる（Ｓ２）。例えば、本自動写真販売機１にはコンデンサーを用いた非常電源、又は電池が配設され、停電を検知すると一定時間これらの電源から電力供給を受け、自動写真販売機１内のデータを不揮発性記憶手段に待避させる。
【００５４】
次に、電源が復帰すると（ＳＴ３）、不揮発性記憶手段に待避させたデータを読み出し、例えばＲＡＭに書き込む（ＳＴ４）。その後、ＲＡＭに書き込んだデータに従って、リカバリー処理を行い、停電前の自動写真販売機１の状態に戻す（ＳＴ５）。
【００５５】
また、本例の自動写真販売機１では上記停電復帰後、一定の表示を行い、継続中の印刷処理を継続させる。
このように構成することにより、停電発生時においてメディアが自動写真販売機１内に存在すれば自動的に排出され、停電復帰後には印刷の継続を促す表示を行うことができる。
【００５６】
【発明の効果】
自動販売機の前で利用者がいちいち、印刷する画面を選択し枚数指定入力する必要がなくなり、多くの利用者が販売機を利用できるようになり、売上額が改善される。また、印刷指定を予め自宅などで落ち着いてできるので、指定画像や枚数を間違えて入力することがなくなる。
【図面の簡単な説明】
【図１】本実施形態の自動写真販売機の外観構成を示す図である。
【図２】自動写真販売機の表示部の拡大図である。
【図３】自動写真販売機の組立図である。
【図４】自動写真販売機内部のシステム構成を説明する図である。
【図５】プリンタユニットの構成を説明する図である。
【図６】本実施形態の処理動作を説明するフローチャートである。
【図７】（ａ）、（ｂ）は表示部の初期表示状態を示す図である。
【図８】（ａ）、（ｂ）はメディア装着後の表示状態を示す図である。
【図９】（ａ）は画像選択画面であり、（ｂ）は枚数指定画面である。
【図１０】料金請求画面である。
【図１１】（ａ）、（ｂ）は  印刷処理中の画面である。
【図１２】（ａ）、（ｂ）も  印刷処理中の画面である。
【図１３】停電処理を説明するフローチャートである。
【符号の説明】
１      自動写真販売機１
２      表示／操作部（ディスプレイ＆タッチパネル）
３      キー入力部
４      記録メディア挿入口
５      ＬＥＤ
６      料金表示部
７      コイン投入口
８      紙幣口
９      返却レバー
１０    釣り銭口
１１    プリント取り出し口
２０    フロントユニット
２１    ペーパーダクト
２２    リアユニット
２３    プリンタユニット
２４    スライドレール
３０    メインコントローラ
３１    記憶部
３２    ディスプレイ制御部
３３    タッチパネル制御部
３４    キー入力部
３５    カードインターフェイス（カードＩ／Ｆ）
３６    料金管理部
３７    レシートインターフェイス（レシートＩ／Ｆ）
３８    送受信部
３９ａ  基地局
３９ｂ  公衆回線網
３９ｃ  センター
３９ｄ  記憶部
４０    コントロール部
４１    インターフェイス（Ｉ／Ｆ）
４２    印刷データ記憶部
４３    印刷機後部
４４    レシート印刷部
４５    レシート読み取り部
５０    サーマルヘッド
５１    大容量リボン
５２    巻き取りロール
５３    プリント用紙
５４    送りロール
５５    カッター
５６、５７    送りロール
【図１】
0003610432.tif 000002
【図２】
0003610432.tif 000003
【図３】
0003610432.tif 000004
【図４】
0003610432.tif 000005
【図５】
0003610432.tif 000006
【図６】
0003610432.tif 000007
【図７】
0003610432.tif 000008
【図８】
0003610432.tif 000009
【図９】
0003610432.tif 000010
【図１０】
0003610432.tif 000011
【図１１】
0003610432.tif 000012
【図１２】
0003610432.tif 000013
【図１３】
0003610432.tif 000014